(57)【要約】  【課題】  冷蔵庫の伸縮自在棚を最後に落とし込む構造において、簡単な構造を提供するものである。【解決手段】本発明は、冷蔵庫の伸縮自在棚において、冷蔵室の内側壁(11)に設けられ、前記回転中心(16)を受け、後方に拡開したＬ字型の受け部(13)と、前記冷蔵室の内後壁(11)に設けられ、前記後棚の後方への移動を規制する規制部(14)と、冷蔵室の内側壁(11)に設けられ、前記回転軸が前記受け部から外れて少々落し込まれた前記重複物を保持する保持部(15)と、冷蔵室の内側壁(11)に設けられ、前記両棚の重複物(4)の前部を上方に９０度近く回動させた時にこの重複物(4)に当接してこの当接部分を中心としてこの重複物を回動させることにより、前記回転中心(16)を前記受け部(13)から外す当接部(17)とを備えることを特徴とする。  【選択図】  図８
2006153394.tif 000002
【特許請求の範囲】
【請求項１】
前棚(4a)を後方にスライドさせて後棚(4b)に重複させ、この重複した状態で後棚(4b)に設けた回転中心(16)を中心として、両棚の重複物(4)の前部を上方に回動させる冷蔵庫の伸縮自在棚において、
冷蔵室の内側壁(11)に設けられ、前記回転中心(16)を受け、後方に拡開したＬ字型の受け部(13)と、
前記冷蔵室の内側壁(11)に設けられ、前記後棚の後方への移動を規制する規制部(14)と、
冷蔵室の内側壁(11)に設けられ、前記回転軸が前記受け部から外れて少々落し込まれた前記重複物を保持する保持部(15)と、
冷蔵室の内側壁(11)に設けられ、前記両棚の重複物(4)の前部を上方に９０度近く回動させた時にこの重複物(4)に当接してこの当接部分を中心としてこの重複物を回動させることにより、前記回転中心(16)を前記受け部(13)から外す当接部(17)と
を備えることを特徴とする冷蔵庫の伸縮自在棚。
【請求項２】
前記前棚及び後棚は、ガラス板を備えるとを特徴とする請求項１に記載の冷蔵庫の伸縮自在棚。
【発明の詳細な説明】
【技術分野】
【０００１】
本発明は、冷蔵室内に伸縮自在棚を備える冷蔵庫に関する。
【背景技術】
【０００２】
大型の冷蔵庫の冷蔵室内には、通常伸縮自在棚が設けられている（特許文献１〜３参照）。又、冷蔵室内にガラス棚を備えた冷蔵庫がある（特許文献４参照）。
【特許文献１】特開平１０−３３９５６９号公報。
【特許文献２】特開２００１−３１７８６８号公報。
【特許文献３】特開平４−１６１７８２号公報。
【特許文献４】特開２００４−２５７６１６号公報。
【発明の開示】
【発明が解決しようとする課題】
【０００３】
この伸縮自在棚の９０度回動時（収納時）の確実性を高めるために前述の特許文献３の伸縮自在棚では、前後棚を重複させた伸縮自在棚（重複物）を９０度回転させて、最後に少し落し込ませていた。これにより、伸縮自在棚が前方に倒れることがない。
【０００４】
ことにより、た  冷蔵庫の冷蔵室内の棚は、固定されて使用されるため、最初から少々  本発明は、この伸縮自在棚を最後に落とし込む構造において、簡単な構造を提供するものである。
【課題を解決するための手段】
【０００５】
本発明は、前棚(4a)を後方にスライドさせて後棚(4b)に重複させ、この重複した状態で後棚(4b)に設けた回転中心(16)を中心として、両棚の重複物(4)の前部を上方に回動させる冷蔵庫の伸縮自在棚において、冷蔵室の内側壁(11)に設けられ、前記回転中心(16)を受け、後方に拡開したＬ字型の受け部(13)と、前記冷蔵室の内側壁(11)に設けられ、前記後棚の後方への移動を規制する規制部(14)と、冷蔵室の内側壁(11)に設けられ、前記回転軸が前記受け部から外れて少々落し込まれた前記重複物を保持する保持部(15)と、冷蔵室の内側壁(11)に設けられ、前記両棚の重複物(4)の前部を上方に９０度近く回動させた時にこの重複物(4)に当接してこの当接部分を中心としてこの重複物を回動させることにより、前記回転中心(16)を前記受け部(13)から外す当接部(17)とを備えることを特徴とする。
【発明の効果】
【０００６】
本発明によれば、伸縮自在棚を90度回転させるだけで、自動的に、伸縮自在棚は、落とし込まれて保持部に保持される。
【発明を実施するための最良の形態】
【０００７】
本発明は、前棚(4a)を後方にスライドさせて後棚(4b)に重複させ、この重複した状態で後棚(4b)に設けた回転中心(16)を中心として、両棚の重複物(4)の前部を上方に回動させる冷蔵庫の伸縮自在棚において、冷蔵室の内側壁(11)に設けられ、前記回転中心(16)を受け、後方に拡開したＬ字型の受け部(13)と、前記冷蔵室の内側壁(11)に設けられ、前記後棚の後方への移動を規制する規制部(14)と、冷蔵室の内側壁(11)に設けられ、前記回転軸が前記受け部から外れて少々落し込まれた前記重複物を保持する保持部(15)と、冷蔵室の内側壁(11)に設けられ、前記両棚の重複物(4)の前部を上方に９０度近く回動させた時にこの重複物(4)に当接してこの当接部分を中心としてこの重複物を回動させることにより、前記回転中心(16)を前記受け部(13)から外す当接部(17)とを備えることを特徴とする。
【０００８】
更に、前記前棚及び後棚は、ガラス板を備えるとを特徴とする。
【実施例１】
【０００９】
本発明の実施例１について、図１〜図２３を参照しつつ説明する。図１は、実施例１の冷蔵庫の斜視図である。この冷蔵庫１は、通常の冷蔵庫であり、金属版からなる外板と真空成形された合成樹脂製の内箱との間に発泡断熱材を充填した断熱箱体等からなる。なお、この冷蔵庫の外板の上面の凸部１ａは、冷蔵庫の上面は放熱部として使用されるため、この面には、物を置くと、所定の冷凍能力が出ない。しかし、利用者の中には、この面が、平らなために、物品の保管エリアとしている人もいる。このため、この凸部１ａにより、上面を凸凹として物品の収納には不適とするとともに、もし物を置かれても、間隙が出来やすいようにしている。
【００１０】
図２は、冷蔵室２の扉を外した図である。この図２において、３は棚、４は伸縮自在棚である。この伸縮自在棚は、前棚４ａを後方にスライドさせて後棚４ｂに重複させ、この重複した状態で後棚４ｂに設けた回転中心を中心として、両棚の重複物４の前部を上方に回動させて収納される。５は棚である。
【００１１】
６はチルド容器を形成する引出しトレイである。７は引出しトレイ、８は冷蔵室の底面に置かれた自動製氷機の給水タンク、９は冷蔵室の底面に置かれた引出しトレイである。１０は仕切り板である。
【００１２】
図３、図４にこの冷蔵室２の左側内側壁１１を示す。この図３、図４において、１２は、伸縮自在棚用の案内保持部である。
【００１３】
図５，図６に、この案内保持部１２に伸縮自在棚４をセットした状態を示す。
【００１４】
この図３〜図６において、この伸縮自在棚４は、前棚４ａを後方にスライドさせて後棚４ｂに重複させ、この重複した状態で後棚４ｂに設けた回転中心１６を中心として、両棚の重複物４の前部を上方に回動させて収納される。
【００１５】
１３は、冷蔵室の内側壁１１に設けられ、回転中心１６を受け、後方に拡開したＬ字型の受け部である。
【００１６】
１４は、冷蔵室の内側壁１１に設けられ、後棚４ｂの後方への移動を規制する規制部である。
【００１７】
１５は、冷蔵室の内側壁１１に設けられ、前記回転中心１６が前記受け部１３から外れて少々落し込まれた重複物４を保持する保持部である。
【００１８】
１７は、冷蔵室の内側壁１１に設けられ、前記両棚の重複物４の前部を上方に９０度近く回動させた時にこの重複物４に当接してこの当接部分を中心としてこの重複物を回動させることにより、前記回転中心１６を前記受け部１３から外す当接部である。
【００１９】
この伸縮自在棚４は、図５，図６のようにセットされる。そして、図７，図８の如く、前棚４ａを後方にスライドさせて後棚４ｂに重複させる。このとき、規制部１４により、後方への移動は規制される。
【００２０】
次に、両棚の重複物４の前部を持って上方に押すと、図７，図８、図９のように回転中心１６を中心に回動する。
【００２１】
更に回動すると、図１０、図１１の如く、当接部１７に重複物４（前後棚が重複した新伸縮自在棚）の一部が当接し、この当接した部分を回転の中心として重複物が回動する。
【００２２】
これにより、図１２，図１３，図１４の如く、回転中心１６は後方に移動し、重複部４は保持部１５に落し込まれる。この保持部１８に回転中心１６も落ち込み、ガタつきの量を抑える働きをしている。
【００２３】
この収納された棚４を元に戻す場合は、棚４を少し持ち上げて、回転中心１６を受け部１３にセットし、重複物４を前に倒し、その後、前棚４ａだけを引っ張り出す。
【００２４】
なお、この実施例１の前後の棚４ａ，４ｂは、ガラス板と、このガラス板の周辺を樹脂で成形した周辺部とからなり、従来の伸縮自在棚に比べると、重量がある。
【図面の簡単な説明】
【００２５】
【図１】実施例１の冷蔵庫の斜視図である。
【図２】実施例１の冷蔵室の扉を外して冷蔵庫本体を斜め前から見た図である。
【図３】実施例１の内側壁を説明するための図である。
【図４】実施例１の内側壁を説明するための図である。
【図５】実施例１の動作を説明するための図である。
【図６】実施例１の動作を説明するための図である。
【図７】実施例１の動作を説明するための図である。
【図８】実施例１の動作を説明するための図である。
【図９】実施例１の動作を説明するための図である。
【図１０】実施例１の動作を説明するための図である。
【図１１】実施例１の動作を説明するための図である。
【図１２】実施例１の動作を説明するための図である。
【図１３】実施例１の動作を説明するための図である。
【図１４】実施例１の動作を説明するための図である。
【図１５】実施例１の動作を説明するための図である。
【図１６】実施例１の動作を説明するための図である。
【符号の説明】
【００２６】
２・・・冷蔵室
４・・・伸縮自在棚（重複物）
４ａ・・前棚
４ｂ・・後棚
１３・・受け部
１４・・規制部
１５・・保持部
１６・・回転中心
１７・・当接部
【図１】
2006153394.tif 000003
【図２】
2006153394.tif 000004
【図３】
2006153394.tif 000005
【図４】
2006153394.tif 000006
【図５】
2006153394.tif 000007
【図６】
2006153394.tif 000008
【図７】
2006153394.tif 000009
【図８】
2006153394.tif 000010
【図９】
2006153394.tif 000011
【図１０】
2006153394.tif 000012
【図１１】
2006153394.tif 000013
【図１２】
2006153394.tif 000014
【図１３】
2006153394.tif 000015
【図１４】
2006153394.tif 000016
【図１５】
2006153394.tif 000017
【図１６】
2006153394.tif 000018